(57)【特許請求の範囲】
【請求項１】
紙幣が出し入れ可能な紙幣入出金部及び該紙幣入出金部に入れられた紙幣を収納可能な紙幣収納部を備える紙幣入出金装置であって、
前記紙幣入出金部に入れられた紙幣が搬送され、紙幣の正常・異常を鑑別する紙幣鑑別部と、該紙幣鑑別部の鑑別が正常のときに該紙幣鑑別部から紙幣が搬送され、該紙幣が前記紙幣収納部に収納される前に一時保留される一時保留部と、前記紙幣鑑別部の鑑別が異常のときに該紙幣鑑別部から紙幣が搬送され、該紙幣が前記入出金部に返却される前に一時的に集積される返却紙幣集積部と、各部間の紙幣の搬送を行なう紙幣搬送機構と、前記一時保留部が使用不能のときに、前記紙幣搬送機構に紙幣を前記紙幣入出金部又は返却紙幣集積部に搬送させて、これに紙幣を一時保留させる搬送制御手段と、前記紙幣入出金部に入れられた紙幣の有無を検知する紙幣検知部とを備え、
前記紙幣搬送機構が、前記返却紙幣集積部から前記紙幣入出金部に至る搬送路を備え、
前記搬送制御手段が、前記紙幣検知部が紙幣無しを検知したときに前記搬送路の紙幣を搬送可能とすることを特徴とする紙幣入出金装置。
【請求項２】
前記一時保留部が使用可能な状態か否かを検知する状態検知部を備え、
前記紙幣搬送機構が、前記紙幣入出金部から前記紙幣鑑別部を介して前記一時保留部に至る平常時用搬送経路と、前記紙幣入出金部から前記紙幣鑑別部及び返却紙幣集積部を介して前記紙幣入出金部に至る非常時用搬送経路と、前記搬送制御手段の制御により搬送経路を切り換える切換手段と、を備え、
前記搬送制御手段が、前記切換手段に前記平常時用搬送経路を選択させる場合において、前記状態検知部が使用不可状態を検知したときに、前記非常時用搬送経路を選択させることを特徴とする請求項１記載の紙幣入出金装置。
【請求項３】
前記紙幣搬送機構が、前記紙幣入出金部又は返却紙幣集積部から前記紙幣収納部に搬送する非常時用収納搬送経路を備えることを特徴とする請求項１又は２記載の紙幣入出金装置。
【請求項４】
紙幣が出し入れ可能な紙幣入出金部及び該紙幣入出金部に入れられた紙幣を収納可能な紙幣収納部を備える紙幣入出金装置の紙幣搬送方法であって、
前記紙幣入出金装置が、前記紙幣入出金部に入れられた紙幣が搬送され、紙幣の正常・異常を鑑別する紙幣鑑別部と、該紙幣鑑別部の鑑別が正常のときに該紙幣鑑別部から紙幣が搬送され、該紙幣が前記紙幣収納部に収納される前に一時保留される一時保留部と、前記紙幣鑑別部の鑑別が異常のときに該紙幣鑑別部から紙幣が搬送され、該紙幣が前記入出金部に返却される前に一時的に集積される返却紙幣集積部とを備え、
前記一時保留部が使用不能のときに、紙幣を前記紙幣入出金部又は返却紙幣集積部に搬送して、これに紙幣を一時保留させるとともに、
前記紙幣入出金部に入れられた紙幣が搬送されて該紙幣入出金部に無いときに、前記返却紙幣集積部から前記紙幣入出金部に紙幣を搬送させることを特徴とする紙幣入出金装置の紙幣搬送方法。
【発明の詳細な説明】
【技術分野】
【０００１】
本発明は、現金自動預払機などの紙幣が入出金される紙幣入出金装置及び紙幣入出金装置の紙幣搬送方法に関する。
【背景技術】
【０００２】
現金自動預払機などの紙幣が入出金される紙幣入出金装置に関連する技術としては、例えば、特許文献１に記載のものがあげられる。
【０００３】
特許文献１記載の紙幣入出金装置は、障害を検知すると、障害内容が装置を継続して運用可能な障害かどうかを判断する。そして、運用可能と判断した場合には、自身を初期化し、障害が発生している機能を縮退させた状態で動作可能な取引に限定して取引を継続する。
このようにして、例えば、入金機能に障害が生じたときは、出金機能のみの取引ができるようになっていた。
【０００４】
また、このような紙幣入出金装置に関連する技術としては、特許文献２記載の技術があげられる。
図１３に示すように、特許文献２記載の紙幣入出金装置は、入金口１０１に入金された紙幣を入金鑑別部１０２で鑑別して紙幣を返却・取込み用に一時保留する一時保留部１０３と、一時保留部１０３から紙幣を取込み許容する入金ストア部１０４と、入金ストア部１０４から繰出した紙幣を金種別に収納するスタッカ（紙幣収納部）１０５ａ〜１０５ｃと、各スタッカ１０５ａ〜１０５ｃの一側に入金口１０１に連通する入金経路接続部１０７と、を備えている。
【０００５】
紙幣入出金装置が、正常に入金動作するときは、入出金口１０１の紙幣は、搬送経路１１１を通り、入出金口１０１から入金鑑別部１０２、搬送経路１１０を介して、一時保留部１０３に搬送される。その後、紙幣は、一時保留部１０３から入金ストア部１０４を介して各スタッカ１０５ａ〜１０５ｃに収納される。
また、この紙幣入出金装置において、例えば、一時保留部１０３が使用できなくなったときは、搬送経路１１０の利用を中止し、入出金口１０１の紙幣を、入金鑑別部１０２を介して、各スタッカ１０５に設けた図示しないセパレータにより形成される区画集積部分に搬送し、これを一時保留部として兼用する。
【０００６】
【特許文献１】特開平０５−０７３６０２号公報
【特許文献２】特開平０６−０９６３２７号公報（段落「００２５」など）
【発明の開示】
【発明が解決しようとする課題】
【０００７】
しかしながら、特許文献１記載の紙幣入出金装置は、障害が発生した機能以外の機能しか動作させることができなかった。そのため、障害が発生した機能については、人手による復旧を待たなければならず、例えば、取引途中の利用客を長く待たせたりし、稼働率が低減してしまうという問題があった。
また、特許文献２に記載の紙幣入出金装置は、一時保留部が使用できなくなっても、一時保留可能であるが、紙幣収納部（スタッカ）以外に紙幣を一時保留する技術がなかった。
【０００８】
本発明は、以上のような従来の技術が有する問題を解決するために提案されたものであり、一時保留部が使用できない状態でも、既存の機能を損なうことなく入金処理を行うことができるようにするとともに、紙幣収納部以外の既存の部分に紙幣を一時保留できるようにした紙幣入出金装置及び紙幣入出金装置の紙幣搬送方法の提供を目的とする。
【課題を解決するための手段】
【０００９】
上記目的を達成するため、本発明の紙幣入出金装置は、紙幣が出し入れ可能な紙幣入出金部及び該紙幣入出金部に入れられた紙幣を収納可能な紙幣収納部を備える紙幣入出金装置であって、前記紙幣入出金部に入れられた紙幣が搬送され、紙幣の正常・異常を鑑別する紙幣鑑別部と、該紙幣鑑別部の鑑別が正常のときに該紙幣鑑別部から紙幣が搬送され、該紙幣が前記紙幣収納部に収納される前に一時保留される一時保留部と、前記紙幣鑑別部の鑑別が異常のときに該紙幣鑑別部から紙幣が搬送され、該紙幣が前記入出金部に返却される前に一時的に集積される返却紙幣集積部と、各部間の紙幣の搬送を行なう紙幣搬送機構と、前記一時保留部が使用不能のときに、前記紙幣搬送機構に紙幣を前記紙幣入出金部又は返却紙幣集積部に搬送させて、これに紙幣を一時保留させる搬送制御手段とを備えている。
【００１０】
上記目的を達成するため、本発明の紙幣入出金装置の紙幣搬送方法は、紙幣が出し入れ可能な紙幣入出金部及び該紙幣入出金部に入れられた紙幣を収納可能な紙幣収納部を備える紙幣入出金装置の紙幣搬送方法であって、前記紙幣入出金装置が、前記紙幣入出金部に入れられた紙幣が搬送され、紙幣の正常・異常を鑑別する紙幣鑑別部と、該紙幣鑑別部の鑑別が正常のときに該紙幣鑑別部から紙幣が搬送され、該紙幣が前記紙幣収納部に収納される前に一時保留される一時保留部と、前記紙幣鑑別部の鑑別が異常のときに該紙幣鑑別部から紙幣が搬送され、該紙幣が前記入出金部に返却される前に一時的に集積される返却紙幣集積部とを備え、前記一時保留部が使用不能のときに、紙幣を前記紙幣入出金部又は返却紙幣集積部に搬送して、これに紙幣を一時保留させる構成としている。
【発明の効果】
【００１１】
以上のように、本発明の紙幣入出金装置及び紙幣入出金装置の紙幣搬送方法によれば、一時保留部が使用できない状態でも、既存の機能を損なうことなく入金処理を行うことができ、また、紙幣収納部以外の既存の部分に紙幣を一時保留させることができる。
【発明を実施するための最良の形態】
【００１２】
以下、本発明に係る紙幣入出金装置の好ましい実施形態について、図１〜図２を参照しつつ説明する。
図１には、紙幣入出金装置を示す概略図を、図２には紙幣入出金装置の機能ブロック図をそれぞれ示している。
これらの図に示す紙幣入出金装置は、紙幣の入出金を行なうもので、例えば、銀行などの現金自動預払機として用いられる。
【００１３】
紙幣入出金装置は、紙幣が出し入れ可能な紙幣入出金部１１と、紙幣入出金部１１に入れられた紙幣を収納可能な紙幣収納部１９とを備えている。
紙幣入出金部１１は、紙幣が出し入れ可能な開口（図示せず）を備えており、内部に紙幣を収納可能な空間を備えている。開口には、開閉可能なシャッタ（図示せず）が設けられている。
【００１４】
紙幣収納部１９は、例えば、千円券、二千円券、五千円券及び一万円券のように紙幣の種類ごとに、収納される第一〜第四の紙幣カセット１５〜１８と、紙幣の種類を分別する紙幣分別手段３０とを備えている。
また、紙幣収納部１９は、紙幣入出金部１１に入れられた紙幣を収納可能であるとともに、各紙幣カセット１５〜１８に収納された紙幣が、出金の際に、紙幣入出金部１１に搬送される。
紙幣分別手段３０は、一端２８ａが後述の第七の搬送路２７に、他端２８ｂが後述の第四の搬送路２４にそれぞれ接続された搬送路２８と、第七の搬送路２７から搬送路２８に至る紙幣を取り込み可能な収納ゲート３１〜３４と、第四の搬送路２４から搬送路２８に至る紙幣を取り込み可能な非常時用ゲート４１〜４４とを備えている。
収納ゲート３１〜３４及び非常時用ゲート４１〜４４は、紙幣カセット毎に設けられている。
【００１５】
また、紙幣入出金部１１に入れられた紙幣が搬送され、紙幣の正常・異常を鑑別する紙幣鑑別部１４と、紙幣鑑別部１４の鑑別が正常のときに紙幣鑑別部１４から紙幣が搬送され、紙幣が紙幣収納部１９に収納される前に一時保留される一時保留部１３と、紙幣鑑別部１４の鑑別が異常のときに紙幣鑑別部１４から紙幣が搬送され、紙幣が紙幣入出金部１１に返却される前に一時的に集積される返却紙幣集積部１２と、各部間の紙幣の搬送を行なう紙幣搬送機構と、一時保留部１３が使用不能のときに、紙幣搬送機構に紙幣を紙幣入出金部１１又は返却紙幣集積部１２に搬送させて、これに紙幣を一時保留させる搬送制御手段とを備えている。
また、紙幣入出金部に入れられた紙幣の有無を検知する紙幣検知部５１と、紙幣入出金装置は、一時保留部１３が使用可能な状態か否かを検知する状態検知部５２とを備えている。
【００１６】
紙幣鑑別部１４は、紙幣の正常・異常を鑑別するとともに、紙幣の種類の判別及び紙幣の計数を行なう。
ここで、異常な紙幣とは、偽造された紙幣などの不正なもの、著しく破損したり汚損されたりしたものなどである。
紙幣搬送機構は、紙幣を搬送する第一〜第七の搬送路２１〜２７を備えている。
第一の搬送路２１は、紙幣入出金部１１と、紙幣鑑別部１４の一方端１４ａとに接続されている。
第二の搬送路２２は、紙幣鑑別部１４の他方端１４ｂと、一時保留部１３又は返却紙幣集積部１２に切換可能に接続されている。
第三の搬送路２３は、返却紙幣集積部１２と、紙幣入出金部１１とに接続されている。
【００１７】
第四の搬送路２４は、紙幣鑑別部１４の他方端１４ｂと、紙幣収納部１９とに接続されている。
第五の搬送路２５は、一時保留部１３と、紙幣鑑別部１４の他方端１４ｂとに接続されている。
第六の搬送路２６は、紙幣鑑別部１４の一方端１４ａと、返却紙幣集積部１２に接続されている。
第七の搬送路２７は、紙幣鑑別部１４の一方端１４ａと、紙幣収納部１９とに接続されている。
これらの各搬送路２１〜２８は、図示しない電動モータの動力が伝達されるとともに、この動力により紙幣を繰り出して搬送可能である。
【００１８】
また、紙幣搬送機構は、第一〜第七の搬送路２１〜２７から構成される第一〜第六の搬送経路と、これらの搬送経路を選択的に切り換える切換手段６０とを備えている。
図３に示すように、第一の搬送経路６１（平常時用搬送経路）は、第一の搬送路２１、第二の搬送路２２を備え、紙幣入出金部１１から紙幣鑑別部１４を介して一時保留部１３に至る。
図４に示すように、第二の搬送経路６２（非常時用搬送経路）は、第一の搬送路２１、第二の搬送路２２及び第三の搬送路２３を備え、紙幣入出金部１１から紙幣鑑別部１４及び返却紙幣集積部１２を介して紙幣入出金部１１に至る。
図５に示すように、第三の搬送経路６３（非常時用収納搬送経路）は、第一の搬送路２１及び第四の搬送路２４を備え、紙幣入出金部１１から紙幣鑑別部１４を介して紙幣収納部１９に至る。
【００１９】
図６に示すように、第四の搬送経路６４は、第五の搬送路２５及び第七の搬送路２７を備え、一時保留部１３から紙幣鑑別部１４を介して紙幣収納部１９に至る。
図７に示すように、第五の搬送経路６５は、第七の搬送路２７、第二の搬送路２２及び第３の搬送路２３を備え、紙幣収納部１９から紙幣鑑別部１４及び返却紙幣集積部１２を介して紙幣入出金部１１に至る。
図８に示すように、第六の搬送経路６６は、第五の搬送路２５、第六の搬送路２６及び第３の搬送路２３を備え、一時保留部１３から紙幣鑑別部１４及び返却紙幣集積部１２を介して紙幣入出金部１１に至る。
【００２０】
切換手段６０は、各搬送路２１〜２７上に設けられたゲートを駆動するソレノイドを備えている。
搬送制御手段は、紙幣鑑別部１４の鑑別、状態検知部５２の検知及び紙幣検知部５１の検知に基づいて紙幣搬送機構を制御する搬送制御部５０で構成されている。
状態検知部５２は、例えば、一時保留部１３から紙幣を正常に繰り出せない繰り出し障害や、一時保留部１３に格納された紙幣を検知するセンサ（図示せず）が、紙幣が無いにもかかわらず、紙幣有りを出力するなどの異常状態を検知したときに、使用不可を出力する。
【００２１】
紙幣検知部５１は、紙幣入出金部１１の紙幣の有無を検知する検知センサで構成される。
搬送制御部５０は、例えば、ＣＰＵ及びメモリからなる演算処理装置で構成され、切換手段６０の切換の制御を行なう。
また、搬送制御部５０は、切換手段６０のソレノイドを制御し、ゲートを開閉して切換手段６０の搬送経路６１〜６６の切換の制御を行なう。
また、搬送制御部５０は、切換手段６０に第一の搬送経路６１を選択させる場合において、状態検知部５２が使用不可状態を検知したときに、第二の搬送経路６２を選択させる。
【００２２】
また、紙幣入出金装置は、紙幣入出金装置の操作者が、本装置にどのような処理を行なわせるかを指示するための操作手段（図示せず）が設けられている。
操作手段は、例えば、画像を表示する機能を備えるタッチパネルで構成されている。
【００２３】
次に、以上のような構成からなる本実施形態の紙幣入出金装置の動作について、図１〜図１０を参照して説明する。
図９〜図１１は、搬送制御部５０のフローチャートを示す図である。
【００２４】
図９に示すように、紙幣入出金装置は、立ち上げられると、各部位の初期化が行なわれる（Ｃ１−１）。
この際、障害の発生がないときは（Ｃ１−２Ｎ）、平常の入金処理が行なわれる（Ｃ１−３）。
【００２５】
平常の入金処理は、以下のようにして行われる。
図１０に示すように、紙幣入出金装置の操作者が、入金処理をするときは（Ｃ２−１）、紙幣入出金部１１のシャッタが開いて、開口から紙幣が入れられる。その後、操作者の操作などにより、シャッタが閉じられる。
【００２６】
そして、搬送制御部５０は、切換手段６０に第一又は第二の搬送経路６１，６２を選択させるとともに、第一の搬送路２１及び第二の搬送路２２に紙幣を繰り出させて紙幣の搬送を行なわせる（Ｃ２−２）。
この紙幣の搬送中において、紙幣鑑別部１４は、通過する紙幣の計数、紙幣の種類の判別及び紙幣の正常・異常の判別を行なう（Ｃ２−３）。
【００２７】
また、搬送制御部５０は、紙幣鑑別部１４の正常・異常の判別結果に基づいて切換手段６０の切り換えを制御する（Ｃ２−４）。
詳しくは、搬送制御部５０は、鑑別された紙幣が正常のときは、切換手段６０に第一の搬送経路６１（図３）を選択させ、紙幣鑑別部１４で鑑別された紙幣が異常のときは、切換手段６０に第二の搬送経路６２（図４（ａ））を選択させる。
このようにして、紙幣入出金部１１に入れられた紙幣のうち、正常な紙幣は、一時保留部１３に搬送される。一方、異常な紙幣は、返却紙幣集積部１２に搬送される。
【００２８】
紙幣鑑別部１４で鑑別された紙幣の中に、異常な紙幣があるときは（Ｃ２−５Ｎ）、返却紙幣集積部１２に集積された紙幣を、第三の搬送路２３に繰り出させて紙幣入出金部１１に送る（図４（ｂ））。そして、紙幣入出金部１１のシャッタを開にして、紙幣を操作者に返却するとともに、タッチパネルに所定の表示を行なって、再度、操作者に正常な紙幣を入金させるように促す（Ｃ２−６）。
一方、全ての紙幣が正常なもののときは（Ｃ２−５Ｙ）、入金の確定処理を行なう（Ｃ２−７）。
【００２９】
操作者の操作により入金取引が確定したときは（２−８Ｙ）、搬送制御部５０が、切換手段６０に第四の搬送経路６４を選択させて（図６）、一時保留部１３に一時保留された紙幣を紙幣収納部１９に搬送する（Ｃ２−９）。
この際、紙幣鑑別部１４では、紙幣の種類が鑑別され、この鑑別に基づいて紙幣分別手段３０で紙幣の分別がなされて、各紙幣カセット１５〜１８に収納させられる。
例えば、紙幣分別手段３０は、紙幣鑑別部１４において、千円券と鑑別された紙幣のときは、収納ゲート３１を開にして、この紙幣を第一の紙幣カセット１５に収納する。また、二千円券と鑑別された紙幣のときは、収納ゲート３２を開にして、この紙幣を第二の紙幣カセット１５に収納する。また、五千円券と鑑別された紙幣のときは、収納ゲート３３を開にして、この紙幣を第三の紙幣カセット１５に収納する。また、一万円券と鑑別された紙幣のときは、収納ゲート３４を開にして、この紙幣を第四の紙幣カセット１５に収納する。
【００３０】
一方、取引が確定しないときには（２−８Ｎ）、搬送制御部５０が、切換手段６０に第六の搬送経路６５を選択させ（図８）、一時保留部１３の紙幣を紙幣入出金部１１に搬送する（Ｃ２−１１）。その後、紙幣入出金部１１のシャッタを開にして、紙幣を返却する（Ｃ２−１２）。
【００３１】
また、図９に示すように、初期化後に、一時保留部１３、障害が発生しており、その障害が、状態検知部５２により一時保留部１３が使用不可であることを検知した場合には、一時保留部１３を縮退させて運用する（Ｃ１−５）。
この場合、搬送制御部５０は、切換手段６０の第一の搬送経路６１の選択を不能にする。
【００３２】
一時保留部１３を縮退させたモードは、以下のようにして行われる。
図１１に示すように、紙幣入出金装置の操作者が、入金処理をするときは（Ｃ３−１）、紙幣入出金装置は、紙幣入出金部１１のシャッタを開にし、顧客により紙幣入出金部１１に紙幣を入金された後、紙幣入出金部１１のシャッタを閉じる。
次に、搬送制御手段が、切換手段６０に第二の搬送経路６２を選択させ、この状態で、搬送路２１に対し紙幣の繰り出しを開始させる（Ｃ３−２）。
【００３３】
次に、第一の搬送路２１を介して紙幣鑑別部１４に至った各紙幣は、紙幣鑑別部１４において、紙幣の計数、紙幣の種類の判別及び紙幣の正常・異常の鑑別がなされる（Ｃ３−３）。
その後、搬送路２２を通り返却紙幣集積部１２へ集積される（図４（ａ））。
【００３４】
紙幣入出金部１１に入金された紙幣が第一の搬送路２１により全て繰り出され、紙幣入出金部１１に紙幣が無くなると、これを紙幣検知部５１が検知する（Ｃ３−４Ｙ）。そして、返却紙幣集積部１２に集積された紙幣が、搬送路２３を通り紙幣入出金部１１に搬送される（Ｃ３−５）。
【００３５】
紙幣鑑別部１４の鑑別結果において、全ての紙幣が正常な紙幣のときは（Ｃ３−６Ｙ）、この紙幣入出金部１１で一時保留される。
そして、入金された金額をタッチパネルの画面に表示し、顧客に対し取引の確定処理を促す（Ｃ３−７）。
取引確定処理において取引確定が選択された場合は、紙幣の収納動作を行なう（Ｃ３−８Ｙ）。
そして、紙幣入出金部１１で一時保留されている紙幣は、顧客により取引確定処理が行なわれると（Ｃ３−８Ｙ）、搬送制御部５０は、切換手段６０に、第三の搬送経路６３を選択させ、紙幣を紙幣収納部１９に収納する（Ｃ３−９）。
【００３６】
紙幣収納部１９に紙幣を収納するときは、まず、紙幣入出金部１１から搬送路２１に繰り出されて紙幣鑑別部１４に至り、紙幣鑑別部１４でその種類を判別される。紙幣鑑別部１４を通過した紙幣は、搬送路２４を介して紙幣収納部１９に至る。
紙幣収納部１９に搬送された紙幣は、紙幣分別手段３０により以下のようにして分別される。
【００３７】
この際、紙幣は、紙幣鑑別部１４でその種類が判別され、この判別に基づいて紙幣分別手段３０で紙幣の分別がなされる。
例えば、紙幣分別手段３０は、紙幣鑑別部１４において、千円券と鑑別された紙幣のときは、非常用ゲート４１を開にして、この紙幣を第一の紙幣カセット１５に収納する。また、二千円券と鑑別された紙幣のときは、非常用ゲート４２を開にして、この紙幣を第二の紙幣カセット１５に収納する。また、五千円券と鑑別された紙幣のときは、非常用ゲート４３を開にして、この紙幣を第三の紙幣カセット１５に収納する。また、一万円券と鑑別された紙幣のときは、非常用ゲート４４を開にして、この紙幣を第四の紙幣カセット１５に収納する。
【００３８】
また、入金された紙幣が紙幣鑑別部１４を通過した際に、入金された紙幣の中に一又は二以上の異常な紙幣があると鑑別された場合は（Ｃ３−６Ｎ）、紙幣入出金部１１のシャッタを開け、入金された全ての紙幣を顧客に返却する（Ｃ３−１１）。
そして、紙幣入出金装置は、タッチパネルなどの画面や音声にて、入金紙幣の確認を行い、異常紙幣を取り除き、再度入金操作を行なうようにガイダンスを行なう。
【００３９】
また、入金処理を確定する際に、取引中止が選択されると（Ｃ３−８Ｎ）、この場合も同様に、紙幣入出金部１１のシャッタを開ける。そして、この紙幣入出金部１１に一時保留された紙幣を顧客に返却し、取引を終了する。
【００４０】
次に、紙幣入出金装置の出金について説明する。
出金処理する場合には、図７に示すように、搬送制御部５０は、切換手段６０に第五の搬送経路６５を選択させる。そして、紙幣搬送機構の第五の搬送経路６５が、紙幣収納部１９の各紙幣カセット１５〜１８の紙幣を紙幣入出金部１１に搬送する。
【００４１】
このとき紙幣分別手段３０の収納ゲート３１〜３４が適宜開になり、各紙幣カセット１５〜１８内の紙幣が繰り出される。繰り出された紙幣は、搬送路２７を介して、紙幣鑑別部１４に至り、鑑別・計数される。また、紙幣は、紙幣鑑別部１４から第二の搬送路２２で繰り出されて返却紙幣集積部１２に搬送される。そして、紙幣は、返却紙幣集積部１２から第三の搬送路２３に繰り出されて紙幣入出金部１１に至る。
このようにして、紙幣入出金装置は、紙幣の出金も行うことができる。
【００４２】
なお、一時保留部１３以外に障害があるときは、障害がある旨の表示をタッチパネルに行い、人手による復旧が終わるまで、運用を停止する（Ｃ１−６）。
【００４３】
以上説明したように、本実施形態に係る紙幣入出金装置によれば、搬送制御部５０（搬送制御手段）により、一時保留部１３が使用不能のときに、紙幣搬送機構に紙幣を紙幣入出金部１１又は返却紙幣集積部１２に搬送させるので、一時保留させることができる。
これにより、一時保留による既存の機能を損なうことなく、紙幣入出金装置は入金処理を行うことができる。
【００４４】
また、搬送制御手段が、紙幣検知部５１が紙幣入出金部１１に紙幣が無いことを検知したときに返却紙幣集積部１２から紙幣入出金部１１に至る搬送路（第三の搬送路）に、返却紙幣集積部１２の紙幣を搬送させる。そのため、紙幣入出金部１１に入れられた全部の紙幣が、搬送路２１で搬送されてこの返却紙幣集積部１２からなくなったときに、返却紙幣集積部１２から紙幣入出金部１１に紙幣を搬送させることができる。
これにより、紙幣入出金部１１において、紙幣鑑別部１４を鑑別する前の紙幣と後の紙幣が混在する事態を防止できる。
【００４５】
また、紙幣入出金装置は、状態検知部５２の検知に基づいて搬送制御部５０が、切換手段６０に、第一の搬送経路６１（平常時用搬送経路）と、第二の搬送経路６２（非常時用搬送経路）とに切換させるので、一時保留部１３が使用不能状態になったときに、紙幣入出金部１１又は返却紙幣集積部１２に、紙幣鑑別部１４で鑑別した後の紙幣を搬送することができる。
【００４６】
搬送制御手段が、切換手段６０に平常時用搬送経路を選択させる場合において、状態検知部５２が使用不可状態を検知したときに、非常時用搬送経路を選択させる。
【００４７】
また、紙幣搬送機構の非常時用搬送経路（第三の搬送経路６３）としては、既存の搬送経路である異常な紙幣の返却に用いられる搬送経路を用いることもできる。
このようにすると、別途専用の搬送経路を設ける場合に比較して、紙幣搬送機構の構造が簡単になり、製造コストを低減できる。
【００４８】
また、紙幣搬送機構が、紙幣入出金部１１又は返却紙幣集積部１２から紙幣収納部１９に搬送する非常時用収納搬送経路（第三の搬送経路６３）を備えるので、この非常時用収納搬送経路を用いて紙幣入出金部１１又は返却紙幣集積部１２に一時保留された紙幣を、紙幣収納部１９に搬送できる。
これにより、一時保留された紙幣を紙幣収納部１９に確実に収納させることができるので、一時保留部１３が使用できなくなっても、紙幣入出金装置は入金処理を行うことができる。
【００４９】
次に、本発明に係る紙幣入出金装置の別の実施形態について、図１２を参照しつつ説明する。
図１２には、本実施形態に係る紙幣入出金装置の概略図を示している。
この紙幣入出金装置は、上記実施形態のものとは、第四の搬送路２４ａが、紙幣収納部１９側に紙幣を搬送可能に、第七の搬送路２７に連結されている点で異なる。
そして、第三の搬送経路６３は、第一の搬送路２１、第四の搬送路２４ａ、及び第七の搬送路２７を備え、紙幣入出金部１１から紙幣鑑別部１４を介して紙幣収納部１９に至る。
また、紙幣収納部１９の紙幣分別手段３０の構成も異なっている。
紙幣分別手段３０は、一端２９ａが第七の搬送路２７に連結された搬送路２９と、この搬送路２９上を搬送される紙幣が収納ゲート３１〜３４とを備えている。
【００５０】
次に、以上のような構成からなる紙幣入出金装置において、一時保留部１３の使用不能のときに、紙幣入出金部１１に一時保留された紙幣を、各紙幣カセットに収納させるときの動作を説明する。
紙幣入出金部１１の紙幣は、搬送路２１に繰り出されて紙幣鑑別部１４に至る。
紙幣鑑別部１４では、紙幣の種類の判別などが行なわれる。
そして、紙幣鑑別部１４を出た紙幣は、搬送路２４ａに繰り出されて、搬送路２７へ運ばれる。搬送路２７から紙幣収納部１９に至った紙幣は、正常状態での紙幣の収納と同様にして紙幣収納部１９へ収納される。
【００５１】
本実施形態では、紙幣収納部１９への紙幣収納方向が、装置が正常状態の場合と同じ方向で行なえるため、障害発生時においても、紙幣カセット１５〜１８へ紙幣を収納するための障害搬送ゲート４１〜４４が不要となる。
そのため、第１の実施形態に比較して構造を簡単になるので、メンテナンスを容易に行うことができる。
【００５２】
以上、本発明の紙幣入出金装置について、好ましい実施形態を示して説明したが、本発明に係る紙幣入出金装置は、上述した実施形態にのみ限定されるものではなく、本発明の範囲で種々の変更実施が可能であることは言うまでもない。
例えば、上記実施形態においては、一時保留部１３が使用不能のときに紙幣入出金部１１において、一時保留させたが、これに限定されるものでなく、返却紙幣集積部１２において一時保留させてよい。この場合、例えば、一時保留された紙幣を紙幣収納部１９に搬送するときは、紙幣を、第三の搬送路を繰り出して紙幣入出金部１１に搬送する。そして、上記と同様に、紙幣入出金部１１の紙幣を、第三の搬送経路６３を介して紙幣収納部１９に搬送する。
また、この場合、返却紙幣集積部１２から、紙幣入出金部１１を経由しないで紙幣収納部１９に至る搬送経路を設けても良い。
【図面の簡単な説明】
【００５３】
【図１】本発明の実施形態に係る紙幣入出金装置を示す概略図である。
【図２】本発明の実施形態に係る紙幣入出金装置の機能ブロック図である。
【図３】本発明の実施形態に係る紙幣入出金装置の第一の搬送経路を示す図である。
【図４】本発明の実施形態に係る紙幣入出金装置の第二の搬送経路を示す図である。
【図５】本発明の実施形態に係る紙幣入出金装置の第三の搬送経路を示す図である。
【図６】本発明の実施形態に係る紙幣入出金装置の第四の搬送経路を示す図である。
【図７】本発明の実施形態に係る紙幣入出金装置の第五の搬送経路を示す図である。
【図８】本発明の実施形態に係る紙幣入出金装置の第六の搬送経路を示す図である。
【図９】本発明の実施形態に係る紙幣入出金装置のフローチャート図である。
【図１０】本発明の実施形態に係る紙幣入出金装置において、正常状態時の入金の際のフローチャート図である。
【図１１】本発明の実施形態に係る紙幣入出金装置において、一時保留部が使用不能のときの入金の際のフローチャート図である。
【図１２】本発明の別の実施形態に係る紙幣入出金装置を示す概略図である。
【図１３】従来の紙幣入出金装置の一例を示す図である。
【符号の説明】
【００５４】
１１  紙幣入出金部
１２  返却紙幣集積部
１３  一時保留部
１４  紙幣鑑別部
１５  第一の紙幣カセット
１６  第二の紙幣カセット
１７  第三の紙幣カセット
１８  第四の紙幣カセット
１９，１９ａ  紙幣収納部
２１〜２９  搬送路
３１〜３４  収納ゲート
４１〜４４  非常時用ゲート
５０  搬送制御部
５１  紙幣検知部
５２  状態検知部
６０  切換手段
６１〜６６  搬送経路
【図１】
0004830147.tif 000002
【図２】
0004830147.tif 000003
【図３】
0004830147.tif 000004
【図４】
0004830147.tif 000005
【図５】
0004830147.tif 000006
【図６】
0004830147.tif 000007
【図７】
0004830147.tif 000008
【図８】
0004830147.tif 000009
【図９】
0004830147.tif 000010
【図１０】
0004830147.tif 000011
【図１１】
0004830147.tif 000012
【図１２】
0004830147.tif 000013
【図１３】
0004830147.tif 000014